(57)【要約】【課題】操作線付きの不正用遊技媒体による不正行為を抑制することが可能な遊技機を提供する。【解決手段】本発明のパチンコ遊技機１０が備えたサイド流下樋３７では、横方向経路部３７Ｈの２位置から第１と第２の流下経路５１，５２が下方に屈曲している。そして、第２流下経路５２より下流側の第１流下経路５１内に戻り規制突片５０が備えられ、その戻り規制突片５０により、第１流下経路５１内に流入した操作線Ｌ付き不正球Ｗが、第１と第２の流下経路５１，５２の間の特定位置に引き戻せれることを防いでいる。これにより、特定位置に不正球Ｗを配置し、その不正球Ｗに後続の正規の遊技媒体を当接させて第２第１流下経路５１に導く不正行為を抑制することができる。【選択図】図７
2012217620.tif 000002
【特許請求の範囲】
【請求項１】
遊技領域に配設された入球口と、
前記入球口に入球した遊技媒体が流下可能な遊技媒体通路と、
前記遊技媒体通路に配設された検出部とを備え、
前記検出部が前記遊技媒体の通過を検出したことに起因して遊技者に特典を付与する遊技機において、
前記遊技媒体通路は、斜め下方又は側方に延びた横方向流下通路と、その横方向流下通路の終端部又は途中から下方向に屈曲した第１下方向流下通路と、前記横方向流下通路のうち前記第１下方向流下通路より上流側位置から下方向に屈曲した第２下方向流下通路とを有し、
前記第２下方向流下通路には、前記検出部が配置され、
前記遊技媒体通路のうち前記第２下方向流下通路よりも前記第１下方向流下通路側には、操作線付き不正用遊技媒体が配置されると、その不正用遊技媒体に後続の正規の遊技媒体が当接して前記第２下方向流下通路に流下しやすくなる特定位置が存在し、
前記特定位置より下流側で、かつ前記第１下方向流下通路の内面のうち、前記第２下方向流下通路側に位置する第１内面部から前記第１内面部と対向する第２内面部方向に向かって水平な側方又は斜め下の側方に向かって張り出した突片構造をなすと共に先端から基端側に切れ込んだ受容溝を有する戻り規制突片を備え、
前記第１下方向流下通路の前記戻り規制突片の先端側と前記第２内面部との間を少なくとも前記遊技媒体１個分が通過可能な間隔とし、
操作線付きの不正用遊技媒体が前記遊技媒体通路を流下して、前記第１下方向流下通路の前記少なくとも前記遊技媒体１個分が通過可能な間隔を通過して前記戻り規制突片を越えて下方側に流下し、前記操作線にて引き戻し操作されたときに、前記横方向流下通路と前記第１下方向流下通路との屈曲により前記操作線を前記受容溝に受容した状態で前記不正用遊技媒体を下面に当接させて、前記不正用遊技媒体の前記戻り規制突片よりも上方への移動を禁止可能とすることを特徴とする遊技機。
【請求項２】
前記受容溝内に、前記操作線を切断するための切断部を設けたことを特徴とする請求項１に記載の遊技機。
【請求項３】
前記戻り規制突片の上面は、前記遊技媒体が乗り上がった状態に保持されないように下方に向かって傾斜していることを特徴とする請求項１又は２に記載の遊技機。
【請求項４】
前記第１下方向流下通路における前記戻り規制突片より下方には、前記遊技媒体を遊技機の外部に排出する排出口が備えられていることを特徴とする請求項１乃至３の何れか１の請求項に記載の遊技機。
【請求項５】
前記戻り規制突片の上方側が前記特定位置であり、前記戻り規制突片の上面に前記操作線付きの不正用遊技媒体が乗った場合に前記第２下方向流下通路の開口縁における最下点を通る水平方向に延びた基準線より上方に前記不正用遊技媒体の少なくとも一部が露出するように前記戻り規制突片が配設されたことを特徴とする請求項１乃至４の何れか１の請求項に記載の遊技機。
【請求項６】
前記操作線が前記受容溝の奥側に進むに従って前記不正用遊技媒体と前記戻り規制突片との当接可能な範囲が広くなるように構成したことを特徴とする請求項１乃至５の何れか１の請求項に記載の遊技機。
【請求項７】
前記受容溝には、受容した前記操作線が前記受容溝から抜け出ることを規制する抜止規制部が備えられていることを特徴とする請求項１乃至６の何れか１の請求項に記載の遊技機。
【請求項８】
前記受容溝には、奥側に向かって徐々に幅が狭くなった操作線導入部と、前記操作線導入部の奥側に配置されて、前記操作線導入部のうちの奥部よりに内部が広くなった溝終端部とが備えられ、前記溝終端部における前記操作線導入部との連絡口の開口縁を、前記抜止規制部としたことを特徴とする請求項７に記載の遊技機。
【請求項９】
前記溝終端部の内面に、前記操作線を切断するための切断部を設けたことを特徴とする請求項８に記載の遊技機。
【発明の詳細な説明】
【技術分野】
【０００１】
本発明は、入球口への入球に伴って遊技特典を付与する遊技機に関する。
【背景技術】
【０００２】
従来、この種の遊技機として、入球口に検出スイッチを配置して、遊技球が検出スイッチを通過したことに伴い遊技特典を付与するものが知られている（例えば、特許文献１参照）。
【先行技術文献】
【特許文献】
【０００３】
【特許文献１】特開平８−１９６７００号公報（段落［００２２］、第３図、第６図）
【発明の概要】
【発明が解決しようとする課題】
【０００４】
ところで、近年、遊技球に糸などを取り付けて外部から操作して入賞させる不正行為が発生している。このため、例えば、従来の遊技機では、図８に示すように、流下経路１と流下経路２の間に糸付きの遊技球Ｗを配置して、糸付き遊技球Ｗを案内にして他の遊技球を検出スイッチ３に入球させて、遊技特典を得る不正行為が行われるおそれがあった。
【０００５】
本発明は、上記事情に鑑みてなされたもので、操作線付きの不正用遊技媒体による不正行為を抑制することが可能な遊技機の提供を目的とする。
【課題を解決するための手段】
【０００６】
上記目的を達成するためになされた請求項１の発明に係る遊技機は、遊技領域に配設された入球口と、入球口に入球した遊技媒体が流下可能な遊技媒体通路と、遊技媒体通路に配設された検出部とを備え、検出部が遊技媒体の通過を検出したことに起因して遊技者に特典を付与する遊技機において、遊技媒体通路は、斜め下方又は側方に延びた横方向流下通路と、その横方向流下通路の終端部又は途中から下方向に屈曲した第１下方向流下通路と、横方向流下通路のうち第１下方向流下通路より上流側位置から下方向に屈曲した第２下方向流下通路とを有し、第２下方向流下通路には、検出部が配置され、遊技媒体通路のうち第２下方向流下通路よりも第１下方向流下通路側には、操作線付き不正用遊技媒体が配置されると、その不正用遊技媒体に後続の正規の遊技媒体が当接して第２下方向流下通路に流下しやすくなる特定位置が存在し、特定位置より下流側で、かつ第１下方向流下通路の内面のうち、第２下方向流下通路側に位置する第１内面部から第１内面部と対向する第２内面部方向に向かって水平な側方又は斜め下の側方に向かって張り出した突片構造をなすと共に先端から基端側に切れ込んだ受容溝を有する戻り規制突片を備え、第１下方向流下通路の戻り規制突片の先端側と第２内面部との間を少なくとも遊技媒体１個分が通過可能な間隔とし、操作線付きの不正用遊技媒体が遊技媒体通路を流下して、第１下方向流下通路の少なくとも遊技媒体１個分が通過可能な間隔を通過して戻り規制突片を越えて下方側に流下し、操作線にて引き戻し操作されたときに、横方向流下通路と第１下方向流下通路との屈曲により操作線を受容溝に受容した状態で不正用遊技媒体を下面に当接させて、不正用遊技媒体の戻り規制突片よりも上方への移動を禁止可能とするところに特徴を有する。
【０００７】
請求項２の発明は、請求項１に記載の遊技機において、受容溝内に、操作線を切断するための切断部を設けたところに特徴を有する。
【０００８】
請求項３の発明は、請求項１又は２に記載の遊技機において、戻り規制突片の上面は、遊技媒体が乗り上がった状態に保持されないように下方に向かって傾斜しているるところに特徴を有する。
【０００９】
請求項４の発明は、請求項１乃至３の何れか１の請求項に記載の遊技機において、第１下方向流下通路における戻り規制突片より下方には、遊技媒体を遊技機の外部に排出する排出口が備えられているところに特徴を有する。
【００１０】
請求項５の発明は、請求項１乃至４の何れか１の請求項に記載の遊技機において、戻り規制突片の上方側が特定位置であり、戻り規制突片の上面に操作線付きの不正用遊技媒体が乗った場合に第２下方向流下通路の開口縁における最下点を通る水平方向に延びた基準線より上方に不正用遊技媒体の少なくとも一部が露出するように戻り規制突片が配設されたところに特徴を有する。
【００１１】
請求項６の発明は、請求項１乃至５の何れか１の請求項に記載の遊技機において、操作線が受容溝の奥側に進むに従って不正用遊技媒体と戻り規制突片との当接可能な範囲が広くなるように構成したところに特徴を有する。
【００１２】
請求項７の発明は、請求項１乃至６の何れか１の請求項に記載の遊技機において、受容溝には、受容した操作線が受容溝から抜け出ることを規制する抜止規制部が備えられているところに特徴を有する。
【００１３】
請求項８の発明は、請求項７に記載の遊技機において、受容溝には、奥側に向かって徐々に幅が狭くなった操作線導入部と、操作線導入部の奥側に配置されて、操作線導入部のうちの奥部よりに内部が広くなった溝終端部とが備えられ、溝終端部における操作線導入部との連絡口の開口縁を、抜止規制部としたところに特徴を有する。
【００１４】
請求項９の発明は、請求項８に記載の遊技機において、溝終端部の内面に、操作線を切断するための切断部を設けたところに特徴を有する。
【発明の効果】
【００１５】
［請求項１の発明］
請求項１の遊技機では、操作線付きの不正用遊技媒体が第１下方向流下通路に入球して戻り規制突片を通過した後に、操作線を引き戻す操作が行われると、横方向流下通路と第１下方向流下通路との第１内面部側の屈曲部で操作線が曲げられ、その屈曲部より下方に不正用遊技媒体が垂下した状態となる。そして、第１下方向流下通路の第１内面部に配置された戻り規制突片の方へ操作線が寄せられて、操作線が受容溝に受容された状態で不正用遊技媒体が戻り規制突片の下面に当接して、それより上方に不正用遊技媒体を引き上げることが困難或いは不可能となる。これにより、不正用遊技媒体を特定位置に移動することが困難或いは不可能となり、不正行為を抑制することができる。
【００１６】
なお、本発明の戻り規制突片は、操作線が引き戻し操作される過程で、その操作線を受容溝に受容する構成であってもよいし、不正用遊技媒体が規制突片を通過して流下する過程で、操作線を受容溝に受容する構成であってもよい。
【００１７】
［請求項２の発明］
請求項２の構成によれば、受容溝に備えた切断部にて操作線を切断することで、戻り規制突片が強く引っ張られて変形することを抑制することができる。また、操作線の切断により不正用遊技媒体が不正行為者の手から離れるため、不正用遊技媒体を再度使用することを困難或いは不可能にすることが可能である。
【００１８】
なお、切断部は、引き戻し操作されている操作線に食い込んで切断するものであってもよいし、不正用遊技媒体が戻り規制突片の下面に当接した状態で操作線が引っ張られたときにその操作線に食い込んで切断するものであってもよい。また、本願の請求項１の発明は、操作線が切れることなく引き戻された場合に戻り規制突片の下面に当接するものであればよく、請求項２の発明のように、受容溝に切断部を備えて、不正用遊技媒体が戻り規制突片に当接する前に操作線を切断部で切断することできるものも請求項１の範囲に含まれる。
【００１９】
［請求項３の発明］
請求項３の遊技機によれば、戻り規制突片の上面の傾斜により遊技媒体が下方に流下して、第１下方向流下通路の途中で遊技媒体が停滞することを抑制することができる。
【００２０】
［請求項４の発明］
請求項４の遊技機によれば、排出口に向かって流下した不正用遊技媒体を操作線の操作により特定位置まで引き戻して、後続の正規の遊技媒体を当接させて第２下方向流下通路に誘導して検出部に検出させることを抑制することができる。また、例えば、戻り規制突片より上方に引き戻す操作ができなくなり手放された不正用遊技媒体や受容溝の切断部によって操作線が切断された不正用遊技媒体などを排出口に回収することができる。
【００２１】
［請求項５の発明］
請求項５の遊技機によれば、特定位置より下流側に流下した不正用遊技媒体を操作線の操作により引き戻して特定位置に配置させることを抑制することができる。
【００２２】
［請求項６の発明］
請求項６の遊技機によれば、不正用遊技媒体が戻り規制突片によって覆い隠される範囲が広くなり、戻り規制突片の全体或いはほぼ全体で不正用遊技媒体を止めることができるため、不正用遊技媒体が戻り規制突片から抜け出ることを抑制することが可能となる。
【００２３】
［請求項７の発明］
請求項７の遊技機によれば、抜止規制部によって、受容溝に受容された操作線が抜け出ることを抑制することができる。これにより、不正用遊技媒体を戻り規制突片によって止めることが可能となる。
【００２４】
［請求項８の発明］
請求項８の遊技機によれば、操作線導入部によって操作線を受容溝の溝終端部に誘導しやすく、また誘導した操作線を溝終端部から抜け出ることを抑制することができる。
【００２５】
［請求項９の発明］
請求項９の遊技機によれば、溝終端部の切断部によって操作線を切断することができる。
【図面の簡単な説明】
【００２６】
【図１】本発明の一実施形態に係るパチンコ遊技機の正面図
【図２】遊技盤の正面図
【図３】サイド流下樋の一部を拡大した断面図
【図４】（Ａ）サイド流下樋の一部を拡大した上面図（Ｂ）サイド流下樋の一部を拡大した断面図
【図５】戻し規制突片の斜視図
【図６】戻し規制突片の断面図
【図７】サイド流下樋の一部を拡大した断面図
【図８】従来のサイド流下樋の一部を拡大した断面図
【発明を実施するための形態】
【００２７】
［第１実施形態］
以下、本発明の一実施形態に係るパチンコ遊技機１０を図１〜図７に基づいて説明する。図１に示すように、パチンコ遊技機１０は、前面を前面枠１０Ｚで覆われ、その前面枠１０Ｚの中央部に備えたガラス窓１０Ｗを通して遊技盤１１の遊技領域Ｒ１が視認可能になっている。
【００２８】
図２に示すように、遊技領域Ｒ１は、全体が円形状になっていて、ガイドレール１２により囲まれている。また、遊技領域Ｒ１のうち向かって左側の上端寄り位置には、遊技領域Ｒ１に遊技球を打ち込むための遊技領域進入孔１２Ｅが設けられている。
【００２９】
なお、以下の説明において、「左」という場合には、その説明対象物に向かって「左」側を指すものとし、「右」という場合には、その説明対象物に向かって「右」側を指すものとする。
【００３０】
図１に示すように、前面枠１０Ｚの上端両角部には、１対のスピーカ２５Ｓ，２５Ｓが備えられてる。前面枠１０Ｚのうちガラス窓１０Ｗより下側部分には、上皿２７Ａと下皿２７Ｂが上下２段に並べて設けられている。その上皿２７Ａの上方には、遊技状態によって遊技者が操作可能なジョグシャトル２７Ｊと、上皿２７Ａに収容された遊技球を下皿２７Ｂに移動するボタン２９が備えられている。また、下皿２７Ｂの上方には、下皿２７Ｂに収容された遊技球をドル箱に流下するための遊技ボタン２７Ｃが設けられている。
【００３１】
前面枠１０Ｚの右下角部には、操作ノブ２８が設けられ、前面枠１０Ｚの裏面側に備えた図示しない発射装置に操作ノブ２８が連結されている。また、発射装置には、上皿２７Ａから遊技球が供給されるようになっている。そして、操作ノブ２８を回動操作すると、その回動操作角に応じた強度で発射装置が遊技球を発射し、その遊技球がガイドレール１２に案内されて、遊技領域Ｒ１内に遊技領域進入孔１２Ｅから斜め上方に打ち込まれる。
【００３２】
図２に示すように、遊技盤１１の中央部には表示開口１１Ｈが貫通形成されている。そして、遊技盤１１の裏面側に備えた液晶モジュール（詳細には、ＴＦＴ−ＬＣＤモジュール）の表示画面３４が、表示開口１１Ｈを通して視認することができるようになっている。また、遊技盤１１の前面には、表示開口１１Ｈを囲むように表示枠体２３が設けられ、表示枠体２３はその全体が遊技盤１１の前面から突出している。
【００３３】
遊技領域Ｒ１のうち、表示枠体２３の下方には、始動入賞口１４、大入賞口１５及びアウト口１６が上から順に間隔をあけて並べで配置されている。また、始動ゲート１８が表示枠体の左側方に設けられると共に、表示枠体２３に一体成形されている。表示枠体２３の左側方には、風車１９が設けられている。
【００３４】
大入賞口１５の左右両側には、サイド入賞口２１，２１が設けられている。始動入賞口１４の左側には、ガイドレール１２に沿って、一般入賞口２０，２０が配置されている。また、遊技領域Ｒ１には、多数の障害釘１１Ｎが起立して設けられている。
【００３５】
以下に、遊技領域Ｒ１の各部位について詳説する。始動入賞口１４は、遊技盤１１の前面から突出した部材によって構成され、その部材の上面に遊技球が１つ通過可能な開口を備えた、所謂、ポケット構造をなしている。始動入賞口１４に遊技球が入賞すると、例えば、１個の入賞につき４個の遊技球が上皿２７Ａに払い出されると共に、特別図柄当否判定が行われる。そして、その判定結果は、表示画面３４に表示される。
【００３６】
具体的には、表示画面３４には、図１に示すように、通常、３つの特別図柄１３Ａ，１３Ｂ，１３Ｃが横並びに停止表示されている。これら各特別図柄１３Ａ，１３Ｂ，１３Ｃは、例えば、「０」〜「１１」の数字を表記した複数種類の図柄で構成されている。通常は、各特別図柄１３Ａ，１３Ｂ，１３Ｃごと、所定の種類の図柄が停止表示されている。そして、始動入賞口１４に遊技球が入賞したときに、これら各特別図柄１３Ａ，１３Ｂ，１３Ｃが上下方向にスクロール表示され、所定時間経過後に特別図柄１３Ａ，１３Ｂ，１３Ｃが、例えば、左、右、中の順番で停止表示される。特別図柄当否判定結果が当たり（以下、「大当たり」という）の場合には、図１に示すように３つの特別図柄１３Ａ，１３Ｂ，１３Ｃが全て同じ図柄で（ゾロ目）で停止表示され、その後、遊技が「大当たり遊技」に移行する。これに対し、特別図柄当否判定結果が外れの場合には、ゾロ目以外の組合せで停止表示され、通常の遊技状態が続行する。
【００３７】
大入賞口１５は横長矩形形状をしており、通常の遊技状態では、可動扉１５Ｔによって閉じられている。そして、「大当たり遊技」になったときに、図１に示すように可動扉１５Ｔが所定期間に亘って前側に倒される。すると、大入賞口１５が前方に開放され、可動扉１５Ｔを案内にして大入賞口１５に多くの遊技球が入球可能となる。大入賞口１５に遊技球が入球すると、例えば、１個の入球につき１５個の遊技球が上皿２７Ａに払い出される。
【００３８】
ここで、可動扉１５Ｔが開放してから閉じるまで間を「ラウンド」と称すると、１つのラウンドは、可動扉１５Ｔの開放時間が３０秒に達したか、又は、大入賞口１５に遊技球が１０個入球したかの何れかの終了条件が満たされた場合に終了する。また、「大当たり遊技」は、例えば、最大１５ラウンドまで継続される。
【００３９】
遊技盤１１の下方に設けられた一般入賞口２０，２０及びサイド入賞口２１，２１に遊技球が入球した場合には、１個の入賞につき所定複数個の賞球が上皿２７Ａに払い出される。
【００４０】
そして、上記した各入賞口１４，１５，２０，２０，２１，２１の何れにも入賞しなかった遊技球は、遊技領域Ｒ１の下端に配置されたアウト口１６に全て取り込まれる。
【００４１】
表示枠体２３のうちの左側部分の上下方向の中央部には、始動ゲート１８が設けられている。始動ゲート１８は、遊技球が潜って通過可能な門形構造をなしている。始動ゲート１８に遊技球が通過した場合には、普通図柄当否判定が行われる。その当否判定の結果は、表示画面３４或いは表示画面３４とは別の表示装置（図示せず）にて表示され、例えば、当たり（以下、「小当たり」という）のときには、「○」が表示され、外れのときには「×」が表示される。
【００４２】
図２に示すように、表示枠体２３の右側方には、遊技領域Ｒ１のうちの右側の領域を流下した遊技球を受け入れるサイド大入賞口３８が備えられている。サイド大入賞口３８は、右側の遊技領域Ｒ１における最も横幅が広い下端側に位置し、通常はサイド可動扉３８Ｔによって閉じられている。そして、後述するサイド始動入賞口５２Ｎに遊技球が入球し、かつ特別図柄当否判定結果が当たりの場合に、大当たり遊技が実行され、サイド可動扉３８Ｔが所定期間に亘って横に倒される。すると、サイド大入賞口３８が側方に開放され、サイド可動扉３８Ｔを案内にして遊技球がサイド大入賞口３８に入賞可能となり、その後、「大当たり遊技」に移行する。なお、サイド大入賞口３８に入球した遊技球は、表示枠体２３に設けられた内部通路（図示せず）を通り、遊技盤１１の裏側に回収される。
【００４３】
サイド可動扉３８Ｔも可動扉１５Ｔ同様、１つのラウンドは、サイド大入賞口３８の開放時間が３０秒に達したか、又は、サイド大入賞口３８に遊技球が１０個入球したかの何れかの終了条件が満たされた場合に終了する。サイド大入賞口３８に遊技球が入球すると、例えば、１個の入球につき１５個の遊技球が上皿２７Ａに払い出される。
【００４４】
サイド大入賞口３８の下方には、流下樋３９が設けられている。流下樋３９は、右側の遊技領域Ｒ１の下端部に配置されており、サイド大入賞口３８に入賞しなかった全ての遊技球が、流下樋３９に取り込まれる。流下樋３９は、表示枠体２３の右側辺部から下辺部に亘って貫通形成され、右側の遊技領域Ｒ１から受け入れた遊技球を始動入賞口１４の右上方に放出するようになっている。
【００４５】
また、表示枠体２３の左側部分には、ワープ路４０が設けられている。ワープ路４０は、表示枠体２３の左側辺の上下方向の中間部分から下端部に位置し、上端部の左側方に開口している入球口４０Ａから遊技領域Ｒ１を流下する遊技球を受け入れる。そして、入球口４０Ａから入球した遊技球は、ワープ路４０を通り、ステージ２３Ｓに排出される。
【００４６】
ステージ２３Ｓには、例えば、図示しない３つの振り分け孔が設けられており、その中の振り分け孔の１つが、表示枠体２３の内部通路を通り、ワープ出口２３Ｙから放出される。ここで、ワープ出口２３Ｙは、始動入賞口１４の真上に位置しているため、ワープ出口２３Ｙから放出された遊技球のほとんどが始動入賞口１４に入賞するようになっている。
【００４７】
また、表示枠体２３の左上角部には、上部段差面２３Ｋが形成されており、上部段差面２３Ｋより右側が左側より高くなっている。そして、遊技領域Ｒ１に打ち込まれる遊技球は、遊技球の発射速度によって上部段差面２３Ｋを越えて右側の遊技領域Ｒ１に流下するものと、上部段差面２３Ｋに衝突して左側の遊技領域Ｒ１に流下するものとに打ち分けることができる。
【００４８】
表示枠体２３における左側部分には、サイド流下樋３７が設けられ、そのサイド流下樋３７への入球口３７Ａが上部段差面２３Ｋに開口している。また、入球口３７Ａには、サイド可動扉３７Ｔが設けられている。サイド可動扉３７Ｔは、通常は閉じられており、前述した始動ゲート１８を遊技球が通過し、かつ、普通図柄当否判定の結果が「小当たり」の場合に、サイド可動扉３７Ｔが、例えば、３回に亘って１．５秒ずつ横に倒される。そして、遊技球がサイド流下樋３７に入球すると、鉛直経路部３７Ｖを流下して横方向経路部３７Ｈに誘導される。
【００４９】
図３に示すように、サイド流下樋３７は、上端部が略鉛直に延びた鉛直経路部３７Ｖと、その鉛直経路部３７Ｖの下端部から左斜め下方に曲げられた横方向経路部３７Ｈと、横方向経路部３７Ｈから下方に延びた第１流下経路５１と第２流下経路５２とを備えている。第１と第２の流下経路５１，５２は、横並びに配置されて横方向経路部３７Ｈから鉛直下方にまっすぐ延び、途中から屈曲した形状になっている。
【００５０】
第１流下経路５１は、横方向経路部３７Ｈの終端部から鉛直に屈曲し、図４（Ａ）に示すように、第２流下通路５２側の第１内面部５１Ｒの鉛直な平面と、その第１内面部５１Ｒと対向する第２内面部５１Ｌの円弧状の内壁からなる断面かまぼこ形状の経路になっている。第２流下経路５２は第１流下経路５１より横方向経路部３７Ｈの上流側から鉛直に屈曲し、断面円形の経路になっている。また、第１と第２の流下経路５１，５２の上端開口は、上部段差面２３Ｋより遊技領域進入孔１２Ｅ側に配置されている。
【００５１】
図３に示すように、第１流下経路５１は、横方向経路部３７Ｈから下方に直線状に真っ直ぐ延びており、第１流下通路５１の第１内面部５１Ｒのうち、上端部が第２内面部５１Ｌに向かって傾斜した傾斜面５１Ｋになっている。
【００５２】
第２流下経路５２の上端開口はサイド始動入賞口５２Ｎになっており、サイド始動入賞口５２Ｎを通過した遊技球を検出するための検出スイッチ３７Ｓが設けられている。第２流下経路５２は、サイド始動入賞口５２Ｎから下方に均一幅をなして直線状に延びた上端直線部５２Ａと、その上端直線部５２Ａに対して左側に幅が広がった状態で下方に延びた中間幅広部５２Ｂと、その中間幅広部５２Ｂの下端部から右斜め下方に屈曲して延びた中間屈曲部５２Ｃと、中間屈曲部５２Ｃから鉛直下方に延びた下端直線部５２Ｄとを備えている。
【００５３】
なお、本実施形態では、サイド流下樋３７が本発明の「遊技媒体通路」に相当し、そのサイド流下樋３７の横方向経路部３７Ｈが本発明の「横方向流下通路」に相当し、さらに、第１流下経路５１が本発明の「第１下方向流下通路」、第２流下通路５２が本発明の「第２下方向流下通路」に相当する。
【００５４】
第１と第２の流下経路５１，５２のうち第２流下経路５２に遊技球が入球した場合、即ち、横方向経路部３７Ｈに入球後、サイド始動入賞口５２Ｎに遊技球が入球した場合には、その遊技球が検出スイッチ３７Ｓによって検出され、始動入賞口１４に入球した場合と同様に、一定の賞球が払い出されると共に特別図柄当否判定が行われて、その判定結果が特別図柄１３Ａ，１３Ｂ，１３Ｃ（図１参照）を用いて表示画面３４に表示される。そして、判定結果が当たりであれば、前述したサイド可動扉３８Ｔを開放する「大当たり遊技」が実行されて大きな利益が遊技者に付与される。即ち、サイド始動入賞口５２Ｎへの入球が検出スイッチ３７Ｓによって検出されるたびに、一定数の賞球という確実な利益と共に、大当たりという通常より大きな利益を得るチャンスが遊技者に付与される。これに対し、第１と第２の流下経路５１，５２のうち第１流下経路５１に遊技球が入球した場合、即ち、横方向経路部３７Ｈに入球後、サイド始動入賞口５２Ｎに遊技球が入球しなかった場合には、一定数の賞球も大当たりになるチャンスも遊技者には付与されない。なお、第１と第２の流下経路５１，５２の何れに遊技球が入球しても、その遊技球は再び遊技領域Ｒ１を流下することはなく、遊技盤１１の裏面側に取り込まれる。また、本発明の「特典」は、上記した普通図柄当否判定結果による「小当たり」や、検出スイッチ３７Ｓの通過に起因した特別図柄当否判定結果による「大当たり」及び遊技球の払出（賞球）に限るものではなく、所謂、「確変遊技」、「時短遊技」などであってもよい。
【００５５】
本実施形態のパチンコ遊技機１０は、上記したように始動入賞口１４への入賞と同様にサイド始動入賞口５２Ｎへの入賞により通常より大きな利益を得ることができる。そして、サイド始動入賞口５２Ｎは、始動入賞口１４に比べて遊技領域進入孔１２Ｅの近くに配置されているので、所謂、「糸玉」を用いた不正行為の標的になり易い。その糸玉は、例えば、正規の遊技球に孔を穿孔して不正球Ｗ（本発明の「不正用遊技媒体」に相当する）とし、その孔に操作線Ｌ（例えば、ピアノ線）を通して固定した構造になっている。本実施形態のパチンコ遊技機１０では、この糸玉を用いてサイド始動入賞口５２Ｎに不正に入球させる行為を抑制するために本発明に係る戻り規制突片５０がサイド流下樋３７内に備えられている。
【００５６】
図４（Ｂ）に示すように、戻り規制突片５０は、第１流下経路５１における傾斜面５１Ｋから片持ち梁状に張り出している。詳細には、第１流下経路５１の傾斜面５１Ｋで、戻り規制突片５０の基端側の上面５０Ｊに不正球Ｗが乗った場合に第２流下経路５２の開口縁における最下点Ｐ１を通る水平方向に延びた基準線Ｊ１より上方に不正球Ｗが半分程度露出する位置に戻り規制突片５０が設けられている。そして、その位置から水平左側に張り出して、先端に向かうに従って徐々に下方側に向かうように湾曲している。また、戻り規制突片５０の最も突出した部分と、戻り規制突片５０と対向する内面との間は、遊技球が１つ通過可能な大きさになっている。なお、戻り規制突片５０は、上記位置に限るものではなく、基準線Ｊ１より上方に不正球Ｗの少なくとも一部が突出している位置に配置されればよく、傾斜面５１Ｋより下方の鉛直な第１内面部５１Ｒであってもよい。
【００５７】
図６に示すように、第１流下通路５１における第１内面部５１Ｒからの戻り規制突片５０の張り出し量は、遊技球の直径の略１．５倍程度になっていて、戻り規制突片５０の下側に遊技球が１つ収まるようになっている。また、戻り規制突片５０は、基端から先端に向かうに従って徐々に肉厚が薄くなっている。さらに、戻り規制突片５０の先端面５０Ｓは、鉛直方向と平行になっていて、戻り規制突片５０の下面５０Ｔと先端面５０Ｓとが交差してなる部分が鋭角に尖って下方を向いている。
【００５８】
図５に示すように、戻り規制突片５０には、受容溝６０が形成されている。受容溝６０は、戻り規制突片５０の先端部から基端側にかけて設けられており、操作線導入部６０Ａ、抜止規制部６０Ｂ、溝終端部６０Ｃからなる。
【００５９】
操作線導入部６０Ａは、戻り規制突片５０の先端部から、戻り規制突片５０の長辺方向の先端部から３分の１程度の範囲に亘って設けられ、戻り規制突片５０の先端部の左右両角部から戻り規制突片５０の幅方向の中心に向かって徐々に幅が狭くなる構成になっている。また、操作線導入部６０Ａの内側面は、戻り規制突片５０の上面５０Ｊから下面５０Ｔに向かうに従って操作線導入部６０Ａの幅方向の中央側に迫り出すように傾斜した傾斜面６１になっている。これにより、戻り規制突片５０の下面５０Ｔの面積が広くなり、不正球Ｗを覆い隠す範囲を大きくすることができ、不正球Ｗを戻り規制突片５０よりも上方側の検出スイッチ３７Ｓに移動することを困難或いは不可能にすることができる。
【００６０】
抜止規制部６０Ｂは、例えば、幅が１〜２［ｍｍ］の均一幅をなして、操作線導入部６０Ａの奥部から戻り規制突片５０における基端寄り位置まで延びている。
【００６１】
溝終端部６０Ｃは、抜止規制部６０Ｂの幅より大きな内径の円形孔になっていて、その一部が抜止規制部６０Ｂに連通している。また、図６に示すように、溝終端部６０Ｃの上面側開口縁には、段付き状に窪んだ環状凹部６２Ａが形成され、その環状凹部６２Ａ内に金属リング６２Ｋが嵌った状態に固定されている。図５に示すように、金属リング６２Ｋは、円形リングの一部を抜止規制部６０Ｂに対応させて切り欠いた形状をなしている。そして、図６に示すように、金属リング６２Ｋの内縁部が先細り状に薄肉になっていて、溝終端部６０Ｃの内面から突出した部分が本発明に係る切断部６２になっている。
【００６２】
本実施形態のパチンコ遊技機１０の構成に関する説明は以上である。次に本実施形態のパチンコ遊技機１０の作用効果について説明する。操作ノブ２８を操作すると、上皿２７Ａ（図１参照）の遊技球が遊技領域進入孔１２Ｅから遊技領域Ｒ１内に斜め上方に向かって打ち込まれ、表示枠体２３の右側か左側を流下する。そして、始動ゲート１８への入球に起因してサイド可動扉３７Ｔが横に倒され、入球口３７Ａが開放すると、遊技領域Ｒ１に打ち込まれた遊技球は、入球口３７Ａからサイド流下樋３７内に遊技球が入球可能となり、それらのうちの一部の遊技球がサイド始動入賞口５２Ｎに入球すると、それが検出スイッチ３７Ｓにて検出されて特別図柄当否判定が行われ、その判定結果が当たりになると、サイド可動扉３８Ｔを開放する「大当たり遊技」が実行されて大きな利益が遊技者に付与される。
【００６３】
しかしながら、サイド始動入賞口５２Ｎに入球したからといって、特別図柄当否判定が必ず当たりになるわけではないので、特別図柄当否判定が当たりになるまで糸玉によってサイド始動入賞口５２Ｎへの入球を頻発させる不正行為の標的になり得る。具体的には、図４（Ｂ）に示すように、不正球Ｗを第１流下経路５１における戻り規制突片５０の上面５０Ｊに配置して、第１流下経路５１に向かって流下してきた遊技球を不正球Ｗに当接させてサイド始動入賞口５２Ｎに入球させる不正行為が行われるおそれがあった。なお、戻り規制突片５０より上方が本発明の「特定位置」に相当し、「特定位置」は上記位置に限るものではなく、第１流下経路５１と第２流下経路５２との境界壁の上端部（図８参照）であってもよい。
【００６４】
上記不正行為を行うためには、第１流下通路５１に入球した不正球Ｗを徐々に引き上げて、戻り規制突片５０の上面５０Ｊまで移動する必要がある。しかしながら、本実施形態の構成によれば、上記した不正行為を抑制することができる。詳細には、上皿２７Ａからサイド流下樋３７内に不正球Ｗを到達させるために、操作線Ｌによる不正球Ｗの失速を防ぐべく、操作線Ｌを十分に長くした状態で不正球Ｗが発射装置から打ち出される。
【００６５】
すると、図７（Ａ）に示すように、操作線Ｌが引っ張れることなく不正球Ｗに追従するように湾曲して、不正球Ｗがサイド流下樋３７に進入する。このとき、操作線Ｌは十分に長くなっているので、不正球Ｗがサイド流下樋３７の第１流下通路５１に入球したときには、第１流下経路５１の奥部にまで到達する。その第１流下経路５１の上端部には、戻り規制突片５０が備えられているので、不正球Ｗは、例えば、戻り規制突片５０の上面５０Ｊに当接して、戻り規制突片５０の左側方に案内され、戻り規制突片５０を通過する。そして、不正球Ｗが戻り規制突片５０より下方に位置したところで、図７（Ｂ）に示すように、操作線Ｌの長さの限界に達して、操作線Ｌに不正球Ｗの自重によるテンションがかかった状態になる。
【００６６】
ここで、第１流下通路５１は、入球口３７Ａが形成された上部段差面２３Ｋより遊技領域進入孔１２Ｅ側に配置されているので、操作線Ｌは、第１流下通路５１のうち戻り規制突片５０が配置された第１内面部５１Ｒへと押し付けられ、不正球Ｗも第１流下経路５１の第１内面部５１Ｒへと寄せられる。すると、操作線Ｌが戻り規制突片５０の受容溝６０に受容される。
【００６７】
このとき、操作線Ｌが戻り規制突片５０の幅方向の中央に位置していない場合には、操作線Ｌは受容溝６０の操作線導入部６０Ａに案内されて、戻り規制突片５０の幅方向の中央に向かって移動する。ここで、操作線導入部６０Ａの内側面は傾斜面６１になって、操作線導入部６０Ａの下縁部は鋭角に尖っているので、操作線Ｌは、その操作線導入部６０Ａの下縁部に点接触することになり、操作線導入部６０Ａの内側面が鉛直面になっていて、その操作線導入部６０Ａの内側面に操作線Ｌが線接触する場合に比べて、スムーズに操作線Ｌが操作線導入部６０Ａの奥側に案内される。そして、操作線Ｌは抜止規制部６０Ｂを通過して溝終端部６０Ｃに収まる。
【００６８】
これにより、図７（Ｃ）に示すように、操作線Ｌにて不正球Ｗを引き上げたときに不正球Ｗが戻り規制突片５０の下面５０Ｔに当接して、それ以上引っ張り上げることができなくなり、不正球Ｗに後続の遊技球を衝突させてサイド始動入賞口５２Ｎに案内する不正行為を抑制することができる。ここで、戻り規制突片５０に不正球Ｗが引っかかったことを知った不正行為者が、操作線Ｌをゆるめて戻り規制突片５０の下方で振り子動作をさせて操作線Ｌを受容溝６０から外そうとしても、操作線Ｌが収まっている溝終端部６０Ｃより、出口側の抜止規制部６０Ｂの方が狭いので、溝終端部６０Ｃの内面によって操作線Ｌが抜止規制部６０Ｂ側に戻ることが規制され、不正球Ｗの振り子動作も防がれる。しかも、溝終端部６０Ｃの内面からは切断部６２が突出しているので、操作線Ｌの材質次第では、操作線Ｌを切断することもできる。
【００６９】
このように、本実施形態のパチンコ遊技機１０によれば、操作線Ｌ付きの不正球Ｗが第１流下経路５１に入球し、その後、パチンコ遊技機１０の外部から操作線Ｌの引き戻し操作が行われた場合に、横方向経路部３７Ｈと第１流下経路５１との第１内面部５１Ｒ側の屈曲部で操作線Ｌが曲げられ、その屈曲部より下方に不正球Ｗが垂下した状態となる。そして、その屈曲部側に設けられた戻り規制突片５０側に操作線Ｌが寄せられ、操作線Ｌが受容溝６０に受容された状態で不正球Ｗが戻り規制突片５０の下面５０Ｔに当接して、それより上方に引き上げることができないため、操作線Ｌ付きの不正球Ｗを案内にして、不正に入賞させる行為を抑制することができる。
【００７０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７１】
（１）受容溝６０における溝終端部６０Ｃ及び金属リング６２Ｋ（図５参照）は円形に限るものではなく、抜止規制部６０Ｂとの連通部分が抜止規制部６０Ｂの幅より広く、戻り規制突片５０の基端側に行くほど徐々に先細り状になる三角形状の構成であってもよい。
【００７２】
（２）前記実施形態では、第１と第２の流下経路５１，５２が断面かまぼこ形状又は断面円形の経路であったが、矩形状の経路であってもよい。
【符号の説明】
【００７３】
１０    パチンコ遊技機
３７    サイド流下樋（遊技媒体通路）
３７Ａ    入球口
３７Ｈ    横方向経路部（横方向流下通路）
３７Ｓ    検出スイッチ（検出部）
３７Ｔ    サイド可動扉
３７Ｖ    鉛直経路部
５０    戻り規制突片
５１    第１流下経路（第１下方向通路）
５１Ｋ    傾斜面
５１Ｌ    第２内面部
５１Ｒ    第１内面部
５２    第２流下経路（第２下方向通路）
５２Ｎ    サイド始動入賞口
６０    受容溝
６０Ａ    操作線導入部
６０Ｂ    抜止規制部
６０Ｃ    溝終端部
６２    切断部
Ｊ１    基準線
Ｌ    操作線
Ｐ１    最下点
Ｗ    不正球（不正用遊技媒体）
【図１】
2012217620.tif 000003
【図２】
2012217620.tif 000004
【図３】
2012217620.tif 000005
【図４】
2012217620.tif 000006
【図５】
2012217620.tif 000007
【図６】
2012217620.tif 000008
【図７】
2012217620.tif 000009
【図８】
2012217620.tif 000010